(57)【要約】【課題】使い勝手を向上し得る引掛装置を提供する。【解決手段】引掛装置１は、壁面４に沿うように略水平に天井２側に配設され、長手方向に沿うガイド溝３１を設けた上レール３０と、前記上レールの長手方向に沿ってスライド自在とされた上下に細長状の本体１０と、前記本体から反壁面側に向けて突出するように配置される引掛位置及び該本体に沿うように配置される収納位置で該本体に保持される引掛部材１６と、を備えている。【選択図】図１
2014171781.tif 000002
【特許請求の範囲】
【請求項１】
壁面に沿うように略水平に天井側に配設され、長手方向に沿うガイド溝を設けた上レールと、
前記上レールの長手方向に沿ってスライド自在とされた上下に細長状の本体と、
前記本体から反壁面側に向けて突出するように配置される引掛位置及び該本体に沿うように配置される収納位置で該本体に保持される引掛部材と、
を備えていることを特徴とする引掛装置。
【請求項２】
請求項１において、
それぞれに略同高さ位置に竿を保持する竿保持部を設けた前記引掛部材を有した前記本体を少なくとも一対備えていることを特徴とする引掛装置。
【請求項３】
請求項２において、
前記本体のうちの少なくとも一つに、竿を収納する竿収納凹所を設けていることを特徴とする引掛装置。
【請求項４】
請求項１乃至３のいずれか１項において、
前記本体の下端部に、該本体の下方側の走行対象上を走行可能とされた下端転動体を設けていることを特徴とする引掛装置。
【発明の詳細な説明】
【技術分野】
【０００１】
本発明は、種々の物品が引っ掛けられる引掛装置に関する。
【背景技術】
【０００２】
従来より、洗濯物を干したり、衣服等を吊り下げたりする物干し装置等の種々の物品を引っ掛ける引掛装置が知られている。
例えば、下記特許文献１では、窓開口部を挟んでその左右両側に設置される物干し装置が提案されている。この物干し装置は、窓開口部の左右両側に対向して固定される左右一対の縦長形状の固定フレームに、それぞれ基端部が片持ち支持される上下２本の可動アームを設けた構造としている。また、上側可動アームの基端部を、固定フレームの上半部に設けたガイド溝内に上下移動自在にスライド嵌合させ、下側可動アームの基端部を固定フレームの下端部のヒンジ部に回動自在に連結支持させた構造としている。また、これら上下両可動アームの先端部同士を互いに回動自在に連結し、その回動連結部に、竿やロープなどの干し具の端部を掛止するための干し具掛止部を設けた構造としている。
【先行技術文献】
【特許文献】
【０００３】
【特許文献１】特開２０１１−１２５４４４号公報
【発明の概要】
【発明が解決しようとする課題】
【０００４】
しかしながら、上記特許文献１に記載された物干し装置では、窓開口部の左右両側に物干し装置を設置する必要があるため、設置箇所が限られ、移設し難いという問題があった。
【０００５】
本発明は、上記実情に鑑みてなされたものであり、使い勝手を向上し得る引掛装置を提供することを目的としている。
【課題を解決するための手段】
【０００６】
上記目的を達成するために、本発明に係る引掛装置は、壁面に沿うように略水平に天井側に配設され、長手方向に沿うガイド溝を設けた上レールと、前記上レールの長手方向に沿ってスライド自在とされた上下に細長状の本体と、前記本体から反壁面側に向けて突出するように配置される引掛位置及び該本体に沿うように配置される収納位置で該本体に保持される引掛部材と、を備えていることを特徴とする。
【０００７】
本発明においては、それぞれに略同高さ位置に竿を保持する竿保持部を設けた前記引掛部材を有した前記本体を少なくとも一対備えたものとしてもよい。
また、本発明においては、前記本体のうちの少なくとも一つに、竿を収納する竿収納凹所を設けてもよい。
また、本発明においては、前記本体の下端部に、該本体の下方側の走行対象上を走行可能とされた下端転動体を設けてもよい。
【発明の効果】
【０００８】
本発明に係る引掛装置は、上述のような構成としたことで、使い勝手を向上させることができる。
【図面の簡単な説明】
【０００９】
【図１】（ａ）〜（ｃ）は、いずれも本発明の一実施形態に係る引掛装置の一例を模式的に示し、（ａ）は、図３におけるＸ−Ｘ線矢視に対応させた一部破断概略縦断面図、（ｂ）は、図３におけるＺ部に対応させた一部破断概略正面図、（ｃ）は、図２（ａ）におけるＹ−Ｙ線矢視に対応させた概略横断面図である。
【図２】（ａ）、（ｂ）は、いずれも同引掛装置が備える本体の一例を模式的に示す概略斜視図である。
【図３】同引掛装置を施工した状態を模式的に示す一部破断概略斜視図である。
【図４】同施工した状態を模式的に示す一部破断概略斜視図である。
【発明を実施するための形態】
【００１０】
以下に本発明の実施の形態について、図面に基づいて説明する。
図１〜図４は、本実施形態に係る引掛装置の一例を模式的に示す図である。
なお、一部の図では、他図に付している詳細な符号の一部を省略している。
また、以下の実施形態では、壁面に沿うように設置された引掛装置に反壁面側から対面した状態を基準として、手前側を前方、その逆側を後方とし、また、その状態を基準として、上下方向等の方向を説明する。
【００１１】
本実施形態に係る引掛装置１は、図１（ａ）に示すように、壁面４に沿うように略水平に天井２側に配設され、長手方向に沿うガイド溝３１を設けた上レール３０と、この上レール３０の長手方向に沿ってスライド自在とされた本体１０と、を備えている。また、引掛装置１は、図２に示すように、本体１０から反壁面側（前方側）に向けて突出するように配置される引掛位置及び本体１０に沿うように配置される収納位置で本体１０に保持される引掛部材１６を備えている。
【００１２】
本実施形態では、図３及び図４に示すように、引掛装置１を、上レール３０の長手方向に沿ってそれぞれにスライド自在とされた少なくとも一対の本体１０（１０Ａ，１０Ｂ）を備えたものとしている。また、引掛装置１を、それぞれに略同高さ位置に、物品としての竿２９を保持する竿保持部１８，１８（図２（ｂ）参照）を設けた引掛部材１６，１６を有した一対の本体１０（１０Ａ，１０Ｂ）を備えた物干し装置としている。
【００１３】
上レール３０は、図１（ａ）に示すように、本実施形態では、下向き開口のガイド溝３１を全長に亘って設けた構成とされている。
この上レール３０は、上板部３２と、この上板部３２の幅方向両側から垂れ下がるようにそれぞれ設けられた両側板部３３，３３と、を備え、縦断面形状が、下方に向けて開口する略コ字状（略Ｕ字状または略Ｃ字状）とされている。これら上板部３２及び両側板部３３，３３によってガイド溝３１を区画している。また、上レール３０は、両側板部３３，３３の下端縁部に、互いに向き合う方向に突出する下突片部３４，３４をそれぞれに設けた構成とされている。
【００１４】
また、本実施形態では、上レール３０を、図３及び図４に示すように、窓部５が設けられた屋外と屋内とを区画する壁体の屋内側の壁面４に沿わせるように配設した例を示している。図例では、窓部５として、掃き出し窓を例示している。この上レール３０は、壁面４の幅方向（左右方向）の全長に亘って配設するようにしてもよい。
また、本実施形態では、図１（ａ）に示すように、この上レール３０を、壁面４から間隔を空けて天井２に沿わせるように配設した例を示している。この上レール３０と壁面４との間隔は、本体１０と壁面４とが干渉しないように適宜、設定するようにしてもよい。また、上レール３０と壁面４との間隔は、本体１０（１０Ａ，１０Ｂ）を、窓部５を横断するようにスライド可能に配設する場合には、窓部５の枠等と本体１０（１０Ａ，１０Ｂ）とが干渉しないように適宜、設定するようにしてもよい。
【００１５】
なお、図１（ａ）において、符号３５は、上レール３０の前面側を覆うカバーである。このカバー３５は、上レール３０の前側の側板部３３に嵌め込みや接着剤等によって固定されるものとしてもよい。
また、この上レール３０の天井２への固定態様としては、天井２の下地等にねじ等の止具によって固定するようにしてもよい。または、適宜の固定金具等を介して若しくは直接的に壁面４を構成する壁体の下地等にねじ等の止具によって固定するようにしてもよい。
また、上レール３０の配設態様としては、上記したように天井２に沿わせるように配設する態様に限られず、天井２に埋め込むように配設するようにしてもよい。または、天井２から間隔を空けて上レール３０を配設するようにしてもよい。
【００１６】
一対の本体１０（１０Ａ，１０Ｂ）は、図２〜図４に示すように、上下に細長状とされている。
また、これら一対の本体１０（１０Ａ，１０Ｂ）の上端部には、上レール３０にガイドされる上ガイド部２０（２０Ａ，２０Ｂ）がそれぞれに設けられている。これら一対の本体１０（１０Ａ，１０Ｂ）は、それぞれの上ガイド部２０（２０Ａ，２０Ｂ）を除いて互いに略同様の構成とされている。なお、以下では、これら一対の本体１０（１０Ａ，１０Ｂ）の互いに同様の構成について説明する際には、本体１０として説明する。
【００１７】
本実施形態では、この本体１０の外郭形状を、壁面４に略直交する方向に厚さ方向を沿わせた略帯板状としている。
この本体１０は、図１（ａ）に示すように、床３近傍から上レール３０近傍までの上下寸法に応じた上下寸法（長さ寸法）とされている。また、本体１０は、この長さ寸法よりも、スライド方向に沿う寸法（幅寸法）及び壁面４に略直交する方向に沿う寸法（厚さ寸法）が小さく形成されている。また、本実施形態では、本体１０は、幅寸法よりも厚さ寸法が小さく形成されている。
【００１８】
本体１０に設けられた引掛部材１６は、本実施形態では、収納位置における下端部側となる基端部１７（図１（ｃ）参照）側が本体１０に回動自在に保持されている。
この引掛部材１６は、略棒状体（図例では、略角柱棒状体）とされており、収納位置では、その長手方向を本体１０の長手方向に沿わせて配置される。一方、引掛部材１６は、引掛位置では、その長手方向が本体１０の長手方向と交差するように配置される。図例では、引掛部材１６を、引掛位置において、その長手方向が本体１０の長手方向と略直交するように本体１０に保持されるものとしている。つまり、引掛部材１６は、引掛位置において、本体１０から略水平状に前方に向けて突出する構成とされている。なお、このような態様に代えて、引掛位置において引掛部材１６が本体１０から斜め上方側や斜め下方側、斜め左方側、斜め右方側等の前方に向けて突出するような態様としてもよい。
【００１９】
この引掛部材１６の竿保持部１８は、本実施形態では、引掛部材１６の収納位置における上端部となる先端部に設けられている。図例では、竿保持部１８を、引掛部材１６を引掛位置とした状態で、上方及び左右方向に開口する切欠状の凹部とした例を示している。なお、竿保持部１８としては、このような態様に限られず、引掛部材１６を左右方向に貫通するように形成され、竿２９が挿通される挿通孔としてもよい。または、引掛位置とされた引掛部材１６から上方に向けて突出するように設けられた一対の挟持部を竿保持部１８としてもよく、その他、種々の竿保持部１８の採用が可能である。また、本実施形態では、引掛部材１６に、単一の竿保持部１８を設けた例を示しているが、引掛部材１６に、その長手方向に間隔を空けて複数の竿保持部１８を設けるようにしてもよい。また、この竿保持部１８は、竿２９を保持するのみならず、ロープ等の紐状部材や、衣服等を吊るしたハンガー等の種々の吊下具を保持するものとしてもよい。また、このような竿保持部１８に代えて、または加えて、種々の物品が引っ掛けられる引掛部を設けるようにしてもよい。さらには、引掛部材１６の引掛位置における突出態様によっては、引掛部材１６自体を竿保持部や引掛部として把握するようにしてもよい。
【００２０】
この引掛部材１６の長さ寸法は、引掛位置において竿保持部１８に保持させた竿２９に、衣服等を吊るしたハンガー等の吊下具を吊下げた状態で、衣服や吊下具等が、本体１０または壁面４に接触しないように適宜、設定するようにしてもよい。
また、本実施形態では、図２に示すように、収納位置における引掛部材１６を収納する引掛部材収納凹所１４を本体１０に設けている。この引掛部材収納凹所１４は、前方に向けて開口するように設けられており、引掛部材１６の収納が可能なように、上下に延びるように細溝状に設けられている。
【００２１】
本実施形態では、図１（ｃ）に示すように、本体１０を、中空の略筒形状とし、本体１０に引掛部材１６を保持する保持部１３を埋め込むように設け、この保持部１３に引掛部材収納凹所１４を設けている。
保持部１３は、前方に向けて開口する引掛部材収納凹所１４を設けた上下に細長状の略ケース状とされている。また、この保持部１３の開口縁には、全周に亘って鍔状部が設けられている（図２も参照）。本体１０の前板部には、この保持部１３の鍔状部を除いた後側部位を受け入れる開口が設けられている。
この保持部１３は、収納位置における引掛部材１６の前面が保持部１３の前面（鍔状部の前面）と略同一平面状となるように引掛部材１６を引掛部材収納凹所１４に収納する構成とされている。
【００２２】
また、保持部１３には、引掛部材１６の回動支点となる回動軸１５が左右方向（本体１０のスライド方向に沿う方向）に架け渡されるように設けられている。引掛部材１６の基端部１７には、この回動軸１５が挿通される軸受孔が設けられており、引掛部材１６は、この回動軸１５廻りに回動自在に保持部１３に保持されている。なお、このような態様に代えて、引掛部材１６の基端部１７に軸部を設け、保持部１３にこの軸部を回動自在に保持する軸受部を設けるようにしてもよい。
【００２３】
なお、この保持部１３の本体１０への固定は、保持部１３の鍔状部を本体１０の前面に当接させ、ねじ等の止具や接着剤等によって固定するようにしてもよい。
また、引掛部材１６を、少なくとも上記した引掛位置及び収納位置において保持部１３（本体１０）によって保持する態様としては、種々の態様の採用が可能である。例えば、引掛位置とされた引掛部材１６の基端部１７の下面を引掛部材収納凹所１４の底面に当接させることで、引掛部材１６を引掛位置において保持する態様としてもよい。または、引掛位置とされた引掛部材１６の基端部１７の上面等に当接されて引掛部材１６の更なる回動を防止するストッパー部等を引掛部材収納凹所１４内等に設けて引掛部材１６を引掛位置において保持する態様としてもよい。
【００２４】
また、引掛部材１６の両側部と引掛部材収納凹所１４の両内壁との摩擦抵抗等によって引掛部材１６を収納位置において保持する態様としてもよい。または、収納位置とされた引掛部材１６の引掛位置側への回動を防止するストッパー部等を引掛部材収納凹所１４内等に設けて引掛部材１６を収納位置において保持する態様としてもよい。さらには、引掛部材１６が収納位置において引掛部材１６の自重によって収納位置に保持されるものとしてもよい。
また、収納位置とされた引掛部材１６を容易に引掛位置へと変位させる態様としては、種々の態様の採用が可能である。例えば、収納位置とされた引掛部材１６の基端部１７を押し込むことで、引掛部材１６を引掛位置側へ向けて回動可能としたような態様としてもよい。または、収納位置とされた引掛部材１６の先端部（上端部）と、これに対向する引掛部材収納凹所１４の内面（天面）との間に、手指の挿入が可能な空隙を設けた態様としてもよい。さらには、引掛部材１６の先端部等に、手掛部を設けた態様としてもよい。
【００２５】
また、本実施形態では、本体１０に、上下方向に間隔を空けて複数（図例では、２つ）の引掛部材１６，１６を設けている。これら上下の引掛部材１６，１６は、互いに同様の構成とされており、上記した保持部１３，１３に、それぞれ保持されている。
これら複数の引掛部材１６，１６のうち、最下段の引掛部材１６の高さ位置は、引掛位置とされた最下段の引掛部材１６に直接的にまたは竿２９や吊下具等を介して引っ掛けられた衣服等が床３に接触しないように適宜、設定するようにしてもよい。また、上下に隣り合う引掛部材１６，１６間の間隔は、引掛位置とされた上段側の引掛部材１６に上記同様に引っ掛けられた衣服等が引掛位置とされた下段側の引掛部材１６またはこれに引っ掛けられた竿２９や吊下具等に接触しないように適宜、設定するようにしてもよい。
【００２６】
なお、このように本体１０に、上下方向に間隔を空けて複数の引掛部材１６，１６を設けた態様に代えて、単一の引掛部材１６を設けた態様としてもよい。
また、本実施形態では、本体１０を、中空の略筒形状とし、本体１０に引掛部材１６を保持する保持部１３を埋め込むように設けた例を示しているが、本体１０に直接的に引掛部材１６を保持する保持部を設けるようにしてもよい。
また、本実施形態では、引掛部材１６を、収納位置における下端部側となる基端部１７側が本体１０に回動自在に保持されたものとした例を示しているが、収納位置における上端部側となる基端部側が本体１０に回動自在に保持されたものとしてもよい。この場合は、例えば、一端部を引掛部材１６に回動自在に連結し、他端部を本体１０に上下方向にスライド自在に係合させた補助アーム等を設けて引掛部材１６を引掛位置において保持する態様としてもよい。
【００２７】
また、本実施形態では、引掛部材１６を、回動自在に本体１０に保持させた態様とした例を示しているが、このような態様に限られない。例えば、引掛部材１６を、本体１０に対して脱離可能に設け、本体１０に、引掛部材１６を引掛位置及び収納位置において保持する保持部を設けたような態様としてもよい。
また、本実施形態では、収納位置における引掛部材１６を収納する引掛部材収納凹所１４を本体１０に設けた例を示しているが、このような態様に限られない。例えば、収納位置における引掛部材１６を本体１０の前面や後面、スライド方向両側部１１，１２等に付設状に沿わせるように保持させる態様としてもよい。
【００２８】
また、本実施形態では、一対の本体１０（１０Ａ，１０Ｂ）のうちの少なくとも一つに、竿２９を収納する竿収納凹所１９を設けている。このような構成とすれば、不使用時には竿２９を竿収納凹所１９に収納させることができ、使い勝手及び見栄えを向上させることができる。
また、本実施形態では、これら一対の本体１０（１０Ａ，１０Ｂ）のそれぞれに、竿収納凹所１９，１９を設けている。
この竿収納凹所１９は、図１（ｃ）及び図２に示すように、本体１０のスライド方向両側部１１，１２の少なくとも一方においてスライド方向に沿って開口するように設けられている。図例では、本体１０の両側部１１，１２の一方において開口し、単一（一本）の竿２９を収納する竿収納凹所１９を例示している。また、竿収納凹所１９は、竿２９の全体が収納可能なように本体１０の長手方向に延びるように細溝状に設けられている。
【００２９】
これら一対の本体１０（１０Ａ，１０Ｂ）の各竿収納凹所１９，１９は、これら本体１０（１０Ａ，１０Ｂ）の互いに対向する対向側側部１１，１１において開口するように設けてもよい。このような態様とすれば、後記するように、これら本体１０（１０Ａ，１０Ｂ）同士を互いに近接させて不使用位置とした際に、それぞれの竿収納凹所１９，１９を目立ち難くすることができる。なお、このような態様に代えて、各竿収納凹所１９，１９を、これら本体１０（１０Ａ，１０Ｂ）の反対向側側部１２，１２において開口するように設けてもよい。または、一方の本体１０Ａ（１０Ｂ）の竿収納凹所１９を対向側側部１１において開口するように設け、他方の本体１０Ｂ（１０Ａ）の竿収納凹所１９を反対向側側部１２において開口するように設けてもよい。
【００３０】
また、本体１０の竿収納凹所１９に収納させた竿２９を保持させる態様としては、種々の態様の採用が可能である。例えば、竿収納凹所１９の上下縁間の寸法を、竿２９の長さ寸法よりも小さくし、いわゆるけんどん式状に竿２９を竿収納凹所１９に収納可能とすることで、竿収納凹所１９に収納させた竿２９を保持させる態様としてもよい。または、竿２９を伸縮可能とし、短縮させた状態の竿２９を竿収納凹所１９に収納させた後に、竿２９を伸長させることで、竿２９の上端部が竿収納凹所１９の上縁部等に当接されて保持される態様としてもよい。さらには、竿収納凹所１９に収納させた竿２９を保持する挟持部や、竿２９の本体１０外への移動を防止するストッパー部等を本体１０に設けるようにしてもよい。
【００３１】
また、本実施形態では、一対の本体１０（１０Ａ，１０Ｂ）のそれぞれに、単一の竿２９を収納する竿収納凹所１９，１９を設けた例を示しているが、一対の本体１０（１０Ａ，１０Ｂ）のうちのいずれか一方のみに、竿収納凹所１９を設けるようにしてもよい。また、本体１０に、複数の竿２９を収納する竿収納凹所１９を設けるようにしてもよい。この場合は、例えば、本体１０の両側部１１，１２においてそれぞれ開口するように竿収納凹所１９，１９を設けた態様としてもよい。
さらには、このような竿収納凹所１９を本体１０に設けないようにしてもよい。
【００３２】
一対の本体１０（１０Ａ，１０Ｂ）のそれぞれの上端部に設けられた上ガイド部２０（２０Ａ，２０Ｂ）は、図１（ｂ）及び図２に示すように、各本体１０（１０Ａ，１０Ｂ）のスライド方向に沿う寸法よりもスライド方向に沿って延びるように大きく形成されている。また、これら上ガイド部２０（２０Ａ，２０Ｂ）は、そのスライド方向両端部２４，２４に上レール３０のガイド溝３１に収容されてガイドされる係合部２５，２５を有している。つまり、この上ガイド部２０は、そのスライド方向に沿う寸法が、本体１０の幅寸法よりも大きく形成され、その両端部２４，２４に係合部２５，２５を設けた構成とされている。
【００３３】
本体１０の幅寸法は、余りにも大き過ぎれば重くなったり、目立ち易くなったりするため、当該本体１０の構成や機能等に応じて、小さくすることが好ましい。例えば、本実施形態のように、本体１０に竿２９を保持する引掛部材１６を設けて物干しとして機能させる場合には、本体１０の幅寸法を、２０ｍｍ〜３００ｍｍ程度、好ましくは２００ｍｍ以下としてもよい。また、上ガイド部２０のスライド方向に沿う寸法は、このように上下に細長状とされた本体１０をスライドさせる際に、本体１０の下端側がスライド方向に振れ難くなるように適宜、設定するようにしてもよい。例えば、上ガイド部２０の両端部２４，２４の係合部２５，２５の上レール３０にそれぞれ当接される部位間の寸法を、本体１０の幅寸法の１．５倍以上としてもよく、図例では、２倍程度とした例を示している。なお、この上ガイド部２０のスライド方向に沿う寸法が余りにも大き過ぎれば、上レール３０の長手方向端部の近傍に本体１０を位置させ難くなるため、例えば、本体１０の幅寸法の５倍以下、好ましくは３倍以下としてもよい。
【００３４】
また、本実施形態では、一対の本体１０（１０Ａ，１０Ｂ）の上ガイド部２０（２０Ａ，２０Ｂ）を、これら本体１０（１０Ａ，１０Ｂ）の互いに対向する対向側側部１１，１１からは略突出しないように形成されたものとしている。また、これら上ガイド部２０（２０Ａ，２０Ｂ）を、これら本体１０（１０Ａ，１０Ｂ）の反対向側側部１２，１２よりも突出するようにスライド方向に沿って延びるように形成されたものとしている。つまり、図１（ｂ）に示すように、図示左方側の一方側の本体１０Ａの上ガイド部２０Ａは、この本体１０Ａの右側部となる対向側側部１１からはスライド方向に沿って略突出しないように設けられている。また、この上ガイド部２０Ａは、この本体１０Ａの左側部となる反対向側側部１２からスライド方向に沿って突出するように設けられている。一方、図示右方側の他方側の本体１０Ｂの上ガイド部２０Ｂは、この本体１０Ｂの左側部となる対向側側部１１からはスライド方向に沿って略突出しないように設けられている。また、この上ガイド部２０Ｂは、この本体１０Ｂの右側部となる反対向側側部１２からスライド方向に沿って突出するように設けられている。
【００３５】
また、本実施形態では、これら上ガイド部２０（２０Ａ，２０Ｂ）を、これらの対向側の端部２４，２４同士を当接させた状態で、本体１０（１０Ａ，１０Ｂ）の対向側側部１１，１１間に僅かな空隙が形成されるように設けている。つまり、これら上ガイド部２０（２０Ａ，２０Ｂ）を、これら本体１０（１０Ａ，１０Ｂ）の対向側側部１１，１１からスライド方向に僅かに突出させるように設けた例を示している。このような構成とすれば、隣り合う一対の本体１０（１０Ａ，１０Ｂ）の両方または一方を、近接させるようにスライドさせた際における互いの衝撃や衝突音等を緩和することができる。なお、このような態様に代えて、これら上ガイド部２０（２０Ａ，２０Ｂ）を、各本体１０（１０Ａ，１０Ｂ）の対向側側部１１，１１からはスライド方向に突出しないように設けるようにしてもよい。
【００３６】
また、本実施形態では、これら上ガイド部２０（２０Ａ，２０Ｂ）を、上レール３０のガイド溝３１に収容されるようにスライド方向に沿って延び、その両端部２４，２４に係合部２５，２５を設けたアーム状部２３，２３を備えたものとしている。
これら上ガイド部２０（２０Ａ，２０Ｂ）のアーム状部２３，２３は、スライド方向に沿って長尺な略棒状体（図例では、略角柱棒状体）とされている。これらアーム状部２３，２３は、図１（ａ）、（ｂ）に示すように、上レール３０のガイド溝３１に全体が収容される構成とされている。
また、これらアーム状部２３，２３は、各本体１０（１０Ａ，１０Ｂ）の上端面から上方に向けて突出するように設けられた支持部２２の上端部に設けられている。図例では、支持部２２を、軸方向を上下方向に沿わせた略棒状体としており、各本体１０（１０Ａ，１０Ｂ）に幅方向に沿って間隔を空けて複数（図例では、２つ）の支持部２２，２２を設けた例を示している。
【００３７】
各アーム状部２３，２３は、それぞれの支持部２２，２２に、ねじ等の止具によって固定するようにしてもよい。例えば、支持部２２，２２に雌ねじ部を設け、各アーム状部２３，２３に支持部２２，２２の雌ねじ部に合致した上下方向に貫通する止具挿通孔を設けて止具によって固定するようにしてもよい。この場合、各アーム状部２３，２３を同一部材とし、いずれ側の本体１０（１０Ａ，１０Ｂ）の支持部２２，２２にも取付可能な兼用部材としてもよい。または、各アーム状部２３，２３と支持部２２，２２とを一体的に形成したような態様としてもよい。
また、これら上ガイド部２０（２０Ａ，２０Ｂ）の各本体１０（１０Ａ，１０Ｂ）への固定態様としては、支持部２２，２２を直接的に各本体１０（１０Ａ，１０Ｂ）に固定するようにしてもよく、その他、種々の固定態様の採用が可能である。図例では、これら上ガイド部２０（２０Ａ，２０Ｂ）に、支持部２２，２２を突出させたブロック状の取付部２１，２１をそれぞれに設けている。また、各取付部２１，２１を、各本体１０（１０Ａ，１０Ｂ）の上端部に設けられた上方及びスライド方向一方側へ開口する切欠状凹所に収容させ、固定した例を示している。
【００３８】
また、本実施形態では、これら本体１０（１０Ａ，１０Ｂ）の上ガイド部２０（２０Ａ，２０Ｂ）の両端部２４，２４の係合部を、上レール３０のガイド溝３１に沿って転動する転動体（ローラー）２５，２５としている。また、各転動体２５，２５を、略水平軸廻りに回動自在とされたものとしている。
また、図例では、各アーム状部２３，２３の両端部２４，２４における壁面４に直交する方向（上レール３０のガイド溝３１の溝幅方向と同方向）の両側に、転動体２５，２５を設けた例を示している。つまり、アーム状部２３，２３のそれぞれに、４つの転動体２５，２５，２５，２５を設けた例を示している。
【００３９】
これら転動体２５，２５，２５，２５は、互いに略同様の構成とされており、上レール３０の上板部３２または下突片部３４に当接し、上レール３０の長手方向に沿って転動する構成とされている。この転動体２５の径（外径）は、上レール３０の上板部３２から下突片部３４までの上下寸法（ガイド溝３１の溝深さ寸法）に応じた寸法とされ、この溝深さ寸法よりも僅かに小さい寸法とされている。
また、これら転動体２５，２５，２５，２５は、各アーム状部２３，２３の両端部２４，２４に設けられ、軸方向を壁面４に直交する方向に沿わせた略水平軸状の回動軸廻りに回動自在に保持されている。
【００４０】
なお、上ガイド部２０（２０Ａ，２０Ｂ）の転動体としては、上記のような態様に限られない。例えば、略垂直軸状の回動軸廻りに回動自在とされ、上レール３０の両側板部３３，３３の一方に当接されて転動する転動体としてもよい。
また、図１（ａ）では、上ガイド部２０（２０Ａ，２０Ｂ）の支持部２２，２２を、本体１０の厚さ方向中央よりも後方側に寄った部位に設けた例を示しているが、本体１０の厚さ方向略中央部や、厚さ方向中央よりも前方側に寄った部位に設けるようにしてもよい。
【００４１】
また、本実施形態に係る引掛装置１は、本体１０の下端部側をガイドする下レール３６を備えている。また、本体１０の下端部に、この下レール３６の長手方向に沿ってガイドされる下ガイド部２６を設けている。
下レール３６は、本実施形態では、下向き開口のガイド溝３７を全長に亘って設けた構成とされている。この下レール３６は、床３から立ち上がるようにかつ壁面４に沿うように配設される後板部と、該後板部の上端縁から前方に向けて突出するように設けられた上板部と、該上板部の前端縁から下方に向けて垂れ下がるように設けられた前板部と、を備えている。この後板部の上側部位、上板部及び前板部によってガイド溝３７を区画している。
【００４２】
また、この下レール３６は、その前板部の下端縁と床３との間に、後記する下ガイド部２６の係合部２７を受け入れる空隙が形成されるように配設される。
なお、この下レール３６は、後板部を壁面４に当接させ、壁面４を構成する壁体の下地等にねじ等の止具によって固定するようにしてもよい。または、後板部の下端縁から前方に向けて突出するように下板部を設け、この下板部を、床３を構成する床材や床下地等にねじ等の止具によって固定するようにしてもよい。
また、図例では、窓部５を掃き出し窓としているので、この下レール３６を、本体１０の下ガイド部２６が窓部５の枠等に干渉しないように、窓部５以外の壁面４に沿わせるように配設した例を示しているが、このような態様に限られない。例えば、下レール３６を、壁面４を構成する壁パネルの略直下に配設し、本体１０の下ガイド部２６が干渉しないように、窓部５の枠等の下端部に切欠部を設けるようにしてもよい。この場合は、窓部５の箇所にも下レール３６を配設するようにしてもよい。また、窓部５を腰窓等とした場合には、下レール３６を、壁面４の幅方向（左右方向）の全長に亘って配設するようにしてもよい。
【００４３】
下ガイド部２６は、本体１０の下端部背面から後方に向けて突出するように設けられた連結片部の後端縁から上方に向けて突出するように設けられた係合部２７を備えている。
この係合部２７は、下レール３６のガイド溝３７に引っ掛けられるように挿入され、本体１０のスライドを伴って下レール３６のガイド溝３７の内側面に摺るように接する構成とされている。なお、この係合部２７は、摺動性や耐摩耗性の良好な合成樹脂系材料等から形成されたものとしてもよい。また、下ガイド部２６の係合部としては、このような態様に代えて、下レール３６のガイド溝３７に沿って転動する転動体（ローラー）としてもよい。また、図１（ｃ）では、本体１０の下端部に、幅方向に間隔を空けて複数（図例では、２つ）の下ガイド部２６，２６を設けた例を示しているが、単一の下ガイド部２６を設けた態様としてもよい。
【００４４】
このような下レール３６及び下ガイド部２６を設けることで、本体１０をスライドさせる際に、本体１０の下端側の厚さ方向への振れを抑制することができる。また、下ガイド部２６を本体１０の下端部背面に設けているので、目立ち難くすることができ、見栄えを向上させることができる。また、下レール３６を、下向き開口のガイド溝３７を設けた構造としているので、目立ち難くすることができ、見栄えを向上させることができる。
なお、下レール３６としては、上記のような態様に限られず、上向き開口のガイド溝を設けた構成としてもよい。この場合は、下ガイド部２６を適宜、変形するようにすればよい。また、このような下レール３６及び下ガイド部２６を設けないようにしてもよい。
【００４５】
また、本実施形態では、本体１０の下端部に、本体１０の下方側の走行対象としての床３上を走行可能とされた下端転動体２８を設けている。
本実施形態では、この下端転動体２８を、本体１０の下端面から一部を露出させるように本体１０の下端部に埋め込むように設けた戸車としている。この下端転動体２８は、本体１０の厚さ方向に軸方向を沿わせた略水平状の回動軸廻りに回動自在とされている。また、図例では、この下端転動体２８を、本体１０の厚さ方向略中央に設けた例を示している。
【００４６】
なお、下端転動体２８は、本体１０の幅方向及び厚さ方向の両方または一方に間隔を空けて複数箇所に設けるようにしてもよい。
また、下端転動体２８としては、戸車に限られず、転動輪を備えたキャスターや、ボール状の転動体を備えたボールキャスター等としてもよい。
また、下端転動体２８の走行対象としては、床３に限られず、例えば、上記のような下レール３６を設けた場合には、床３に沿うように下レール３６に設けられた下板部を走行対象としてもよい。また、上記のような下レール３６及び下ガイド部２６を設けない場合には、この下端転動体２８が係合する転動体レールを設けるようにしてもよい。
【００４７】
また、このように下端転動体２８を、各本体１０（１０Ａ，１０Ｂ）に設けた場合には、上記した上ガイド部２０（２０Ａ，２０Ｂ）を、各本体１０（１０Ａ，１０Ｂ）に対して上下動自在に設けるようにしてもよい。例えば、各上ガイド部２０（２０Ａ，２０Ｂ）の取付部２１，２１を、各支持部２２，２２を上下動自在に保持する構成としてもよい。また、この場合は、各支持部２２，２２を上方または下方に向けて付勢するばね等の付勢部材を各取付部２１，２１に設けるようにしてもよい。
また、各本体１０（１０Ａ，１０Ｂ）を、スライド方向に沿う所望位置で停止させるストッパー等を設けるようにしてもよい。このようなストッパーとしては、例えば、各本体１０（１０Ａ，１０Ｂ）の上端部に上下方向に出没自在に設けられ、上レール３０に当接されるストッパーとしてもよい。これに代えてまたは加えて、各本体１０（１０Ａ，１０Ｂ）の下端部に上下方向に出没自在に設けられ、床３に当接されるストッパーとしてもよい。その他、種々のストッパーの採用が可能である。
【００４８】
本実施形態に係る引掛装置１は、上述のような構成としたことで、使い勝手を向上させることができる。
つまり、引掛部材１６を設けた本体１０を、壁面４に沿うように略水平に天井２側に配設され、長手方向に沿うガイド溝３１を設けた上レール３０の長手方向に沿ってスライド自在としている。従って、上レール３０の長手方向に沿って本体１０をスライドさせることができる。これにより、本体１０を使用位置と不使用位置とに容易に移動させることができる。従って、使用時には使用し易い場所や使用に適した場所に移動させることができ、不使用時には目立ち難い場所等に移動させることができ、設置空間を有効利用することができる。例えば、図３及び図４に示すように、使用時には、窓部５近傍に位置させ、不使用時には、窓部５から離間させて部屋隅部等に位置させるようなこともできる。
また、引掛部材１６は、本体１０から反壁面側に向けて突出するように配置される引掛位置及び本体１０に沿うように配置される収納位置で本体１０に保持される。従って、不使用時には、引掛部材１６を収納位置とすることで、邪魔になり難く、見栄えを向上させることができる。
【００４９】
また、本実施形態では、引掛装置１を、それぞれに略同高さ位置に、竿２９を保持する竿保持部１８，１８を設けた引掛部材１６，１６を有した一対の本体１０（１０Ａ，１０Ｂ）を備えた物干し装置としている。従って、使用時には、図４に示すように、これら一対の本体１０（１０Ａ，１０Ｂ）を、互いにスライド方向に離間させ、それぞれの引掛部材１６，１６の竿保持部１８，１８に、竿２９を架け渡すように保持させることができる。また、使用時には、一対の本体１０（１０Ａ，１０Ｂ）を、互いにスライド方向に離間させ、窓部５の両側に位置させることができる。また、例えば、洗濯物等の多少に応じて、一対の本体１０（１０Ａ，１０Ｂ）間の間隔を容易に変更するようなことも可能となる。また、図３に示すように、不使用時には、一対の本体１０（１０Ａ，１０Ｂ）を、互いにスライド方向に近接させ、窓部５から離間させて部屋隅部等に位置させることができる。また、このように、不使用時に一対の本体１０（１０Ａ，１０Ｂ）を互いにスライド方向に近接させることで、省スペース化を図ることもできる。
【００５０】
また、本実施形態では、各本体１０（１０Ａ，１０Ｂ）の上端部に、各本体１０（１０Ａ，１０Ｂ）のスライド方向に沿う寸法よりもスライド方向に沿って延びるように大きく形成された上ガイド部２０（２０Ａ，２０Ｂ）をそれぞれに設けている。また、これら上ガイド部２０（２０Ａ，２０Ｂ）のスライド方向両端部２４，２４，２４，２４に、上レール３０のガイド溝３１に収容されてガイドされる係合部２５，２５，２５，２５を設けている。従って、上下に細長状とされた各本体１０（１０Ａ，１０Ｂ）をスライドさせる際に、各本体１０（１０Ａ，１０Ｂ）の下端側のスライド方向への振れを抑制することができ、安定的にスライドさせることができる。
【００５１】
また、本実施形態では、各上ガイド部２０（２０Ａ，２０Ｂ）を、各本体１０（１０Ａ，１０Ｂ）の対向側側部１１，１１からは略突出しないように設けている。従って、上記のように安定的なスライドが可能でありながらも、一対の本体１０（１０Ａ，１０Ｂ）同士を、スライド方向により近接させることができ、または当接させることができる。これにより、不使用時における省スペース化をより図ることができ、また、すっきりとした印象を与えることができ、見栄えを向上させることができる。
なお、上記態様に代えて、各上ガイド部２０（２０Ａ，２０Ｂ）を、各本体１０（１０Ａ，１０Ｂ）の反対向側側部１２，１２からは略突出しないようにかつ対向側側部１１，１１よりも突出するようにスライド方向に沿って延びるように形成されたものとしてもよい。このような態様とすれば、例えば、不使用時には、各本体１０（１０Ａ，１０Ｂ）同士を離間させ、それぞれを部屋隅部等の上レール３０の長手方向の各端部の略直下に位置させるようなこともできる。さらには、各上ガイド部２０（２０Ａ，２０Ｂ）を、各本体１０（１０Ａ，１０Ｂ）の両側部１１，１１，１２，１２からスライド方向に沿ってそれぞれ突出するように設けた態様としてもよい。
【００５２】
また、本実施形態では、一対の本体１０（１０Ａ，１０Ｂ）の上ガイド部２０（２０Ａ，２０Ｂ）を、上レール３０のガイド溝３１に収容されるようにスライド方向に沿って延びるアーム状部２３，２３を備えたものとしている。従って、上ガイド部２０（２０Ａ，２０Ｂ）を目立ち難くすることができ、見栄えを向上させることができる。なお、このようなアーム状部２３，２３を備えた上ガイド部２０（２０Ａ，２０Ｂ）に限られない。例えば、上レール３０の下方側に一部が露出するようにスライド方向に延びるブロック状や平板状、上向き略コ字状（略Ｕ字状または略Ｃ字状）等とされたガイド本体部の両端部に係合部を設けた上ガイド部２０（２０Ａ，２０Ｂ）としてもよい。
【００５３】
また、本実施形態では、一対の本体１０（１０Ａ，１０Ｂ）の上ガイド部２０（２０Ａ，２０Ｂ）の係合部を、上レール３０のガイド溝３１に沿って転動する転動体２５，２５，２５，２５としている。従って、本体１０（１０Ａ，１０Ｂ）をスムーズにスライドさせることができる。なお、このような態様に代えて、例えば、上ガイド部２０（２０Ａ，２０Ｂ）の係合部を、上レール３０のガイド溝３１の内側面に摺るように接するブロック状の係合部としてもよい。
【００５４】
また、本実施形態では、一対の本体１０（１０Ａ，１０Ｂ）の下端部に、これら本体１０（１０Ａ，１０Ｂ）の下方側の走行対象３上を走行可能とされた下端転動体２８，２８を設けている。従って、これら一対の本体１０（１０Ａ，１０Ｂ）をより安定的にスライドさせることができる。また、このように下荷重構造とすることで、種々の物品を本体１０（１０Ａ，１０Ｂ）に安定的に保持させることができる。また、種々の物品を保持する本体１０（１０Ａ，１０Ｂ）の上端側をガイドする上レール３０への負荷を低減させることができ、上レール３０を固定するための大掛かりな躯体補強工事等の必要性を低減させることができる。なお、このような下端転動体２８を設けずに、上吊り構造としてもよい。この場合は、各本体１０（１０Ａ，１０Ｂ）の上下寸法を、それぞれの下端と床３との間に間隔が形成されるような寸法としてもよい。
【００５５】
なお、本実施形態では、一対の本体１０（１０Ａ，１０Ｂ）を備えた引掛装置１を例示しているが、複数対の本体を備えたものとしてもよい。さらには、単一の本体１０を備えた引掛装置１としてもよい。
また、本実施形態では、引掛装置１を、屋内に設置した例を示しているが、バルコニー等の屋外に設置するようにしてもよい。この場合は、軒天等を、天井２として把握するようにしてもよい。
【００５６】
また、本実施形態では、上レール３０を、下向き開口のガイド溝３１を設けた構造とした例を示しているが、上向き開口や横向き開口のガイド溝３１を設けた構造としてもよい。この場合は、本体１０の上ガイド部２０の係合部（転動体）２５，２５等を適宜、変形するようにしてもよい。
また、本実施形態では、上ガイド部２０を、本体１０のスライド方向に沿う寸法よりもスライド方向に沿って延びるように大きく形成され、スライド方向両端部２４，２４に係合部２５，２５を設けた態様とした例を示しているが、このような態様に限られない。例えば、スライド方向に沿う寸法が、本体１０のスライド方向に沿う寸法よりも小さい寸法とされた上ガイド部２０としてもよく、また、単一の係合部２５を設けたものとしてもよい。その他、種々の態様とされた上ガイド部２０の採用が可能である。
【符号の説明】
【００５７】
１                    引掛装置
１０，１０Ａ，１０Ｂ  本体
１６                  引掛部材
１８                  竿保持部
１９                  竿収納凹所
２８                  下端転動体
２９                  竿
３０                  上レール
３１                  ガイド溝
２                    天井
３                    床（走行対象）
４                    壁面
【図１】
2014171781.tif 000003
【図２】
2014171781.tif 000004
【図３】
2014171781.tif 000005
【図４】
2014171781.tif 000006